(57)【要約】【課題】容器外部に放出されるガスの圧力が低い場合であっても、近くに設けられた電気回路等を腐食することなく継続してガスを放出できる電力貯蔵デバイス、電力貯蔵モジュール及びそれらに用いるガス収納袋を提供する。【解決手段】容器６の内部に発生したガスを容器６の外部に放出するガス放出弁７にガス放出袋１を設ける。ガス放出袋１は、放出弁７から放出されるガスを内部に収納する。ガス放出袋１は、潰れた状態で折り畳まれてガス放出弁７に設けられている。ガス放出弁７からガスが放出されると、折り畳まれたガス収納袋１が伸張してガスを収納する。そのため、ガス放出弁７からの放出圧力が低い場合であっても継続してガスを収納できる。【選択図】図２
2007134535.tif 000002
【特許請求の範囲】
【請求項１】
外郭容器と、
前記容器に設けられ、前記容器の内部に発生したガスを前記容器の外部に放出するガス放出弁と、
前記ガス放出弁に連通して前記容器に装着され、前記ガス放出弁から放出される前記ガスを収納するガス収納袋と、
を備え、
前記ガス収納袋は、不透気性のフィルム材よりなり、排気され小さくされた状態で前記容器に装着されることを特徴とする電力貯蔵デバイス。  
【請求項２】
前記ガス収納袋は、折り畳まれた状態で前記容器に装着されることを特徴とする請求項１に記載の電力貯蔵デバイス。
【請求項３】
前記ガス放出弁は、前記ガスを放出するガス放出口を複数個備えることを特徴とする請求項１又は２に記載の電力貯蔵デバイス。
【請求項４】
前記ガス収納袋は、前記電力貯蔵デバイスの前記ガス放出弁以外の部分に接着された接着部をさらに備えることを特徴とする請求項１から３の何れかに記載の電力貯蔵デバイス。
【請求項５】
前記ガス収納袋は、前記接着部に形成された穴をさらに備えることを特徴とする請求項１から４の何れかに記載の電力貯蔵デバイス。
【請求項６】
前記ガス放出袋は、有色であることを特徴とする請求項１から５の何れかに記載の電力貯蔵デバイス。
【請求項７】
請求項１から６の何れかに記載の電力貯蔵デバイスを複数個モジュール容器内に備える電力貯蔵モジュールであって、
前記ガス収納袋を外部から観察できるように、前記モジュール容器に設けられた透明部を備えることを特徴とする電力貯蔵モジュール。
【請求項８】
電力貯蔵デバイスの外郭容器に設けられたガス放出弁に連通して前記容器に装着され、前記ガス放出弁から放出されるガスを収納するために用いられるガス収納袋であって、
前記ガス収納袋は、不透気性のフィルム材よりなり、排気され小さくされた状態で前記容器に装着されることを特徴とするガス収納袋。
【発明の詳細な説明】
【技術分野】
【０００１】
本発明は、電気二重層キャパシタ、コンデンサ、リチウム二次電池、リチウムイオンキャパシタなどの電力貯蔵デバイス、電力貯蔵モジュール及びそれらに用いるガス収納袋に関する。
【背景技術】
【０００２】
電気二重層キャパシタ（電気二重層コンデンサとも呼ばれる。）、アルミ電解コンデンサやリチウムイオン電池、リチウムイオンキャパシタなどの電力貯蔵デバイスは、急激な充放電を頻繁に繰り返した場合や、満充電した状態で長時間使用すると、残存する水分が水電解したり、カーボンの表面官能基が酸化分解したり、電解液そのものが電気分解を起こすなどして、一酸化炭素、二酸化炭素、水素、酸素、有機ガスなどの分解ガスが発生する場合がある。また、動作環境温度が異常に高くなった場合に、寿命劣化が加速されたり、電解液が分解蒸発するなどしてガスが発生する場合がある。
【０００３】
そのため、特許文献１に記載の電気二重層キャパシタでは、容器の破壊を免れるために、容器にガス放出弁を設け、容器の内圧が高まるとガス放出弁に設けられたピンホールから容器内部のガスを放出し、内圧が下がるとオイルシール等によってピンホールが塞がるように構成されている。
【０００４】
しかし、特許文献１に記載の電気二重層キャパシタでは、内部のガスと共に例えば４級アンモニウム塩などの電解質を含むプロピレンカーボネートなどの有機電解液が容器から放出されるために、近くの基板の電子回路を腐食したり短絡したりする不具合があった。
【０００５】
また、ガスの放出が停止してピンホールが塞がるまでの時間に空気中の水分が進入し、水分の電気分解によるガスの発生が起こり易くなるという問題があった。
【０００６】
そこで、特許文献２には、ガス放出弁の外側にガスを収納して膨張する部材、具体的にはゴム風船を装着した電気二重層キャパシタの発明が開示されている。この構成を用いることで、近くの基板の電子回路への電解液の飛散や、ピンホールからの空気中の水分の侵入を防止することができる。
【０００７】
【特許文献１】特開２００３−３７０２８号公報（図２）
【特許文献２】特開平８−１１５８５９号公報（図５）
【発明の開示】
【発明が解決しようとする課題】
【０００８】
しかしながら、ガスを収納して膨張する部材は、圧力に応じて膨張の程度が変化するために、ガス収納袋の内圧が高くなると、ガス放出弁からのガスの放出が困難になる。
【０００９】
また、ゴムなどの膨張する部材は、有機溶媒によって劣化し、長時間膨らんだ状態が続くと軟化して破裂してしまうという問題点もある。
【００１０】
従来のガス放出弁のガス収納袋は、圧力に応じて膨張の程度が変化するために、膨張によってガス収納袋の圧力が高くなると、ガス放出弁からのガスの放出が困難になるという問題があった。
【００１１】
本発明は、以上の問題点を解決するために為されたものであり、放出されるガスの圧力が低い場合であっても、外部にガスを放出できる電力貯蔵デバイス、電力貯蔵モジュール及びそれらに用いるガス収納袋を提供する。
【課題を解決するための手段】
【００１２】
請求項１に係る電力貯蔵デバイスは、外郭容器と、前記容器に設けられ、前記容器の内部に発生したガスを前記容器の外部に放出するガス放出弁と、前記ガス放出弁に連通して前記容器に装着され、前記ガス放出弁から放出される前記ガスを収納するガス収納袋と、を備え、前記ガス収納袋は、不透気性のフィルム材よりなり、排気され小さくされた状態で前記容器に装着されることを特徴とする。
【００１３】
請求項８に係るガス収納袋は、電力貯蔵デバイスの外郭容器に設けられたガス放出弁に連通して前記容器に装着され、前記ガス放出弁から放出されるガスを収納するために用いられるガス収納袋であって、前記ガス収納袋は、不透気性のフィルム材よりなり、排気され小さくされた状態で前記容器に装着されることを特徴とする。  
【発明の効果】
【００１４】
請求項１に係る電力貯蔵デバイスによれば、ガス収納袋が膨らむことで、ガス放出弁から放出されたガスを収納できる。そのため、電力貯蔵デバイスは、ガスの圧力が低くても継続してガス放出弁からガスを放出できる。
【００１５】
請求項８に係るガス収納袋によれば、ガス収納袋は、膨らむことでガス放出弁から放出されたガスを収納できる。そのため、ガス収納袋を電力貯蔵デバイスに装着することで、電力貯蔵デバイスは、ガスの圧力が低くても継続してガス放出弁からガスを放出できる。
【発明を実施するための最良の形態】
【００１６】
＜実施の形態１＞
＜Ａ．構成＞
＜Ａ−１．全体構成＞
図１は、本実施の形態１に係る電力貯蔵デバイスの正面図である。また、図２は、図１の側面図である。
【００１７】
電力貯蔵デバイスの外郭容器６には、容器６の内部に発生したガスを容器６の外部に放出するガス放出弁７が設けられている。
【００１８】
そして、電力貯蔵デバイスには、ガス放出弁７に連通して容器６に装着され、ガス放出弁７から放出されるガスを内部に収納するガス収納袋１が設けられている。
【００１９】
ガス収納袋１は、不透気性のフィルム材よりなり、排気され小さくされた状態で容器６に装着されている。図２では、ガス収納袋１は、蛇腹状に折り畳まれた状態で容器６に装着されている。
【００２０】
そして、電力貯蔵デバイスには、陽極電流端子８、陰極電流端子９が設けられている。
【００２１】
＜Ａ−２．ガス放出弁７の構成及び動作＞
次に、図３，４を参照してガス収納袋１及びガス放出弁７の構成について詳細に説明する。
【００２２】
図３は、本実施の形態１に係る電力貯蔵デバイスのガス放出弁７近傍の上面図である。また、図４は、図３のＡ−Ａ線断面図である。
【００２３】
まず、ガス放出弁７の構成について説明する。容器６に、容器内部に発生したガスを外部に放出するためのピンホール１２（ガス放出口）が設けられている。そして、ピンホール１２を囲うように、容器６の内側にカバー部１７が設けられている。カバー部１７には、容器６内部で発生したガスをガス放出弁７の内部に通すための通気口１８が設けられている。
【００２４】
カバー部１７の内側には、通気口１８を覆うように、シリコンオイル１６を介してフィルム１５が配置されている。
【００２５】
フィルム１５と容器６の間にはフィルム押さえ１４が介挿されている。そしてフィルム押さえ１４は、フィルム１５に接合されている。フィルム押さえ１４は、カバー部１７からフィルム１５が離れるのを防止するために配置されている。
【００２６】
次に、以上のように構成されたガス放出弁７の動作について説明する。
【００２７】
容器６の内部にガスが発生していない状態では、シリコンオイル１６、フィルム１５及びフィルム押さえ１４により、通気口１８はシールされている。
【００２８】
そして、ガスの発生により容器６の内圧が高まると、発生したガスは、フィルム１５とフィルム押さえ１４を押し上げ、通気口１８からシリコンオイル１６を通って、カバー部１７の内部に侵入する。
【００２９】
ピンホール１２とフィルム押さえ１４の間はシールされておらず、カバー部１７の内部に侵入したガスは、容器６とフィルム押さえ１４の隙間を通ってピンホール１２から容器外部に放出される。
【００３０】
＜Ａ−３．ガス収納袋１の構成＞
次に、ガス収納袋１の構成について説明する。
【００３１】
ガス収納袋１は、ポリエチレンフィルムを２枚重ね合わせて形成されている。そして、空気を抜いて潰した状態で折り畳まれ、ガス放出弁７に設けられている。
【００３２】
ガス収納袋１には袋頭部穴１１が設けられている。そして、袋頭部穴１１の周囲には両面テープ２２（後述する図５参照）が貼られており、ガス収納袋１は、ピンホール１２を覆うように容器６に接着されている。
【００３３】
また、ガス収納袋１は、市販のスプレー糊等の粘着力の弱い接着剤が、両面に薄く吹きかけられて折り畳まれており、折り畳まれた状態を維持している。
【００３４】
＜Ａ−４．ガス収納袋１の製造方法＞
次に、図５を参照してガス収納袋１の製造方法について説明する。図５は、ガス収納袋１の製造工程を示すである。
【００３５】
まず、２枚の黄色に着色された四角形状のポリエチレンフィルム２９を重ね合わせる。裏面側のポリエチレンフィルム２９の一端である袋頭部２には、袋頭部穴１１が設けられ、袋頭部穴１１の周囲には両面テープ２２が貼り付けられている。
【００３６】
ここで、袋頭部穴１１は、ポリエチレンフィルム２９に両面テープ２２を貼り付けたのち、穴あけプレスを行うことで形成する。
【００３７】
次に、１３０℃に加熱した金属板を当てて２枚のポリエチレンフィルム２９を熱融着する。熱融着は、ポリエチレンフィルム２９の４辺及び熱融着部２１において行われる。
【００３８】
以上の工程により、図５に示した構成を得る。また、熱融着部２１において区切られた各々のポリエチレンフィルム２９がガス収納袋１に対応している。
【００３９】
次に、２枚のポリエチレンフィルム２９の表裏にスプレー糊を薄くスプレーした後、山折り部１９、谷折り部２０で折り曲げることにより、ポリエチレンフィルム２９を蛇腹状に折り畳む。その後、熱融着部２１においてカッターを用いて切断する。
【００４０】
以上説明した製造方法によりガス収納袋１を製造することで、ガス収納袋１を安価に大量生産することが可能になる。
【００４１】
ここで、ガス収納袋１は、ポリエチレンフィルム以外に、ポリプロピレンフィルムや、アルミラミネートフィルムなど各種の不透気性のフィルムを用いることができる。
【００４２】
また、ガス収納袋１の製造方法は、２枚のポリエチレンフィルム２９を重ね合わせるのではなく、例えば、押し出し成形することでポリエチレンフィルム２９を袋状に加工してもよい。
【００４３】
＜Ｂ．動作＞
次に本実施の形態１に係る電力貯蔵デバイスの動作について説明する。
【００４４】
電気貯蔵デバイスの急激な充放電の繰り返し等により、容器６の内部にガスが発生して容器６の内圧が高まるとガス放出弁７からガスが放出される。
【００４５】
ガス放出弁７からガスが放出されると、ガス収納袋１の中にガスが入り、ガス収納袋１の折り目が広がって徐々に伸張する。すなわち、内部にガスが収納されることで、排気さされ小さくされた状態のガス収納袋１が徐々に膨らむ。
【００４６】
図６は、ガス収納袋１にガスが溜まり始めて、折り畳まれたガス収納袋１が伸び始めた状態を示す電力貯蔵デバイスの正面図であり、図７は側面図である。
【００４７】
さらにガスが放出されると、ガス収納袋１はさらに伸長し、図８，９に示す状態となる。図８は、ガス収納袋１の内部にガスが充満した状態の電力貯蔵デバイスの正面図であり、図９は側面図である。
【００４８】
ガス収納袋１にガスが充満するまでの間は、ガス収納袋１が膨らんで伸長することによってガスを内部に収納するので、ガス放出弁７から放出された後のガスの圧力は常圧に近い状態に保たれる。
【００４９】
＜Ｃ．効果＞
以上の構成を備えているので、ピンホール１２から電力貯蔵デバイスの容器外部に放出されたガスはガス収納袋１内に収納される。
【００５０】
ガス収納袋１は不透気性の材質であり密閉されているので、電解液や電解質が外部に飛散して、近くにある電子回路を腐食したりショートさせる恐れがない。
【００５１】
また、ガス収納袋１が膨らんでガスを収納するので、電力貯蔵デバイスは、ガスの圧力が低くても継続してガスを容器６の外部に放出できる。
【００５２】
また、ガス収納袋１は排気された状態で容器６に装着されている。そのため、ガスが放出された際に、空気中の水分が電力貯蔵デバイスのピンホール１２から内部に侵入する恐れもない。
【００５３】
ピンホール１２から水分や空気が侵入することがないので、ガスの放出後も電力貯蔵デバイスは正常に動作できる。
【００５４】
ガス収納袋１は、折り畳まれた状態で容器６に装着されているので、ガス収納袋１の伸長具合でどの程度ガスが放出されたかを判別することができる。
【００５５】
また、本実施の形態１に係るガス収納袋１は、黄色に着色されているので、透明のガス放出袋１に比べて、伸長具合が観察し易くなる。
【００５６】
ここで、ガス収納袋１を黄色に着色する必要はなく、赤色や緑色などガス収納袋１の伸長具合を観察し易い色であれば何色であってもよい。
【００５７】
また、本実施の形態１では、長方形状のガス収納袋１を用いたが、ガス収納袋１は、内部にガスが収納できるように袋状であればよく、長方形状である必要はない。
【００５８】
＜実施の形態２＞
＜Ａ．構成＞
＜Ａ−１．全体構成＞
図１０は、実施の形態２に係る電力貯蔵デバイスの側面図である。本実施の形態２に係る電力貯蔵デバイスでは、ガス収納袋１が渦巻き状に折り畳まれている。
【００５９】
その他の構成は、実施の形態１と同様であり、同一の構成には同一の符号を付し、重複する説明は省略する。
【００６０】
＜Ａ−２．ガス収納袋１の製造方法＞
次に本実施の形態２に係るガス収納袋１の製造方法について説明する。
【００６１】
まず、図５に示したように、ポリエチレンフィルム２９を２枚貼り合わせる。そして、袋頭部穴１１が設けられた面とは反対の面にのみスプレー糊を少し吹き付ける。
【００６２】
そして、ポリエチレンフィルム２９の両面テープ２２が設けられた端とは反対の端から、スプレー糊が吹き付けられた面が内側になるように折り畳む。
【００６３】
以上のようにして、図１０に示したガス収納袋１を得る。
【００６４】
＜Ｂ．動作＞
次に、本実施の形態２に係る電力貯蔵デバイスの動作について説明する。
【００６５】
容器６の内部にガスが発生し、容器６の内圧が高まるとガス放出弁７からガスが放出される。
【００６６】
ガス放出弁７からガスが放出されると、ガス収納袋１の中にガスが収納され、ガス収納袋１の折り目が広がって徐々に伸張する。
【００６７】
図１１は、ガス収納袋１にガスが溜まり始めて、渦巻き状に折り畳まれたガス収納袋１が伸び始めた状態を示す電力貯蔵デバイスの側面図である。
【００６８】
さらにガスが放出されるとガス収納袋１はさらに伸長し、ガス収納袋１内部にガスが充満すると最終的に図９に示したのと同じ状態となる。
【００６９】
ガスがガス収納袋１に充満するまでの間、ガス放出弁７から放出された後のガスの圧力は、常圧に近い状態に保たれる。
【００７０】
＜Ｃ．効果＞
本実施の形態２に係る電力貯蔵デバイスは、以上の構成を備えているので実施の形態１と同様の効果が得られる。
【００７１】
また、本実施の形態２に係る電力貯蔵デバイスは、ガス収納袋１が渦巻き状であるので、蛇腹状に折り畳むのに比べて容易に折り畳むことができる。
【００７２】
また、ガス収納袋１の一方の面にのみスプレー糊を吹き付ければよいので、製造コストを下げることができる。
【００７３】
なお、実施の形態１、２では、ガス収納袋１を蛇腹状に折り畳んだり、渦巻き状に折り畳んだ例を示したが、ガス収納袋１の体積が小さくなっていればよく、巻紙のように丸めたり、異なる折り畳み方をしてもよい。
【００７４】
＜実施の形態３＞
＜Ａ．構成＞
＜Ａ−１．全体構成＞
図１２は、本実施の形態３に係る電力貯蔵デバイスの正面図である。また、図１３は、ガス収納袋近傍の側面図である。
【００７５】
本実施の形態３では、ガス収納袋１が、電力貯蔵デバイスのガス放出弁７以外の部分に袋尾部（接着部）４がさらに接着されている。そして、袋尾部４には、袋尾部穴（穴）２７が設けられている。
【００７６】
その他の構成は、実施の形態１と同様であり、同一の構成には同一の符号を付し、重複する説明は省略する。
【００７７】
＜Ａ−２．ガス収納袋１の製造方法＞
次に、図１４を参照して、本実施の形態３に係るガス収納袋１の製造方法について説明する。図１４は、ガス収納袋１の製造工程を示す図である。
【００７８】
実施の形態１（図５参照）と同様に、２枚のポリエチレンフィルム２９が貼り付けられている。そして、裏面のポリエチレンフィルム２９に袋頭部穴１１が設けられている。そして、袋頭部穴１１の周囲には両面テープ２２が貼り付けられている。
【００７９】
本実施の形態３に係るガス放出袋１では、裏面のポリエチレンフィルム２９の袋頭部穴１１が設けられた端とは反対の端である袋尾部４に、袋尾部穴２７がさらに設けられている。そして、袋尾部穴２７の周囲には両面テープ２８が貼り付けられている。
【００８０】
ここで、両面テープ２８の接着面積は両面テープ２２の接着面積に比べて小さく形成されている。
【００８１】
＜Ｂ．動作＞
次に、本実施の形態３に係る電力貯蔵デバイスの動作について説明する。
【００８２】
容器６の内部にガスが発生し、容器６の内圧が高まるとガス放出弁７からガスが放出される。
【００８３】
ガス放出弁７からガスが放出されると、ガス収納袋１の中にガスが収納され、ガス収納袋１の折り目が広がって徐々に伸張する。
【００８４】
図１５は、ガス収納袋１にガスが溜まり始めて、折り畳まれたガス収納袋１が伸び始めた状態を示すガス放出弁７近傍の側面図である。
【００８５】
ガスがさらに放出されると、ガス収納袋１はさらに伸長する。ガス収納袋１が伸長するために、ガス収納袋１にガスが充満するまでの間は、ガス放出弁７から放出された後のガスの圧力は常圧に近い状態に保たれる。
【００８６】
ガス収納袋１にガスが充満した後に、ガス収納袋１にさらにガスが収納されると、袋尾部穴２７からのガスの圧力によって、袋尾部４が容器６から剥れる。ここで、両面テープ２２よりも両面テープ２８の方が接着面積が小さいため、袋尾部４が容器６から剥れる。そして、容器６から袋尾部４が剥れると、袋尾部穴２７からガスが放出されるようになる。
【００８７】
図１６は、袋尾部４が容器６から剥れ、ガスが充満した状態のガス収納袋１を示す側面図である。
【００８８】
＜Ｃ．効果＞
本実施の形態３に係る電力貯蔵デバイスは、ガス収納袋１がガス放出弁７以外に部分に接着された袋尾部４を備えている。
【００８９】
そのため、袋尾部４の接着位置により、ガス収納袋１が伸長する方向を予め制御することができる。
【００９０】
ここで、電力貯蔵デバイスの容器６に袋尾部４を接着する必要はなく、ガス収納袋１が伸張する方向をガイドするための板を別に設け、その板に接着するようにしてもよい。
【００９１】
本実施の形態３に係る電力貯蔵デバイスは、袋尾部４に形成された袋尾部穴２７をさらに備えている。
【００９２】
ガス収納袋１内にガスが充満しても、袋尾部４が剥れることで、電力貯蔵デバイスは、容器６の外部にガスを放出できる。
【００９３】
ここで、ガスに含まれる電解液や電解質の大部分は、袋尾部穴２７から放出されるまでの間に温度が下がることにより、ガス収納袋１の内部で液状になり、ガス収納袋１内の内壁にトラップされる。
【００９４】
そのため、本実施の形態３に係る電力貯蔵デバイスは、ガス収納袋１の収納限界を超えたガスが発生した場合であっても、電力貯蔵デバイスの近傍に設けられた電子回路の腐食やショート等を低減しつつ、ガスを放出することができる。
【００９５】
＜実施の形態４＞
＜Ａ．構成＞
図１７は、本実施の形態４に係る電力貯蔵デバイスのガス放出弁７近傍の上面図である。そして図１８は、図１７のＢ−Ｂ線断面図である。
【００９６】
実施の形態４では、ガス放出弁７にピンホール１２、通気口１８がそれぞれ２個設けられている。
【００９７】
その他の構成は実施の形態１と同様であり、同一の構成には同一の符号を付し重複する説明は省略する。
【００９８】
＜Ｂ．動作＞
本実施の形態４に係る電力貯蔵デバイスの動作は、実施の形態１と同様であるので詳細な説明は省略する。
【００９９】
＜Ｃ．効果＞
ピンホール１２が２個存在すると、一方のピンホール１２が電解液や電解質によって塞がった場合でも、もう一方のピンホール１２を使ってガスを放出することができる。そのため、ガス放出弁７の信頼性が高められる。
【０１００】
しかし、ピンホール１２を複数個設けると、ピンホール１２から外部の空気や水分が容器６の内部に侵入する恐れが増大する。
【０１０１】
本実施の形態４では、ガス収納袋１がガス放出弁７に設けられている。そして、ガス収納袋１内部には空気やこれに含まれる水分が殆ど存在しないため、複数のピンホール１２から外部の空気や水分が容器６の内部に侵入する恐れはない。
【０１０２】
そのため、外部の空気や水分の容器６への浸入の恐れなく、ガス放出弁７の信頼性を高めるために複数個のピンホール１２を形成することが可能になる。
【０１０３】
なお、本実施の形態４では、２個のピンホール１２を設けているが、もっと多くのピンホール１２を設けてもよい。
【０１０４】
ピンホール１２の数が多くなるほど、ガス放出弁７のピンホール１２に電解質の析出物などが詰まってガス放出弁７としての機能が発揮されなくなる恐れを回避することができる。
【０１０５】
また、通気口１８を２つ設けているので、一方の通気口１８が塞がった場合であっても、ガスを外部に放出することができる。
【０１０６】
＜実施の形態５＞
＜Ａ．構成＞
図１９は、本実施の形態５に係る電力貯蔵モジュールの構成を示す斜視図である。本実施の形態５に係る電力貯蔵モジュール（以下、単に「モジュール」と称する場合がある。）では、モジュール容器２３内に７個の電力貯蔵デバイスが配置されている。
【０１０７】
ここで、本実施の形態５に係る電力貯蔵モジュールは、実施の形態１の電力貯蔵デバイスを用いた例を示している。
【０１０８】
図１９に示すように各々の電力貯蔵デバイスは、正極電流端子８と負極電流端子９が交互に配線３０により接続され直列に連結されている。
【０１０９】
そして、電力貯蔵デバイスへの充放電を制御するための均等化回路や電圧モニターなどの電子回路を装着した電子回路基板２４がモジュール容器２３内に装着されている。
【０１１０】
そして、モジュール容器２３には、透明板１０が設けられている。透明板１０は、透明なアクリルで構成されており、側面から、各々のガス収納袋１を観察することができる。
【０１１１】
ここで、透明板１０の材料としては、アクリルの他、ポリカーボネート、ガラス、塩化ビニールなどを用いることができる。
【０１１２】
＜Ｂ．動作＞
図１９において、最も手前の電力貯蔵デバイスに設けられたガス収納袋２６には、ガスが充満しておりかなり伸張している。そして、ガス収納袋２５は、放出ガスを少し収納し、少し伸張している。
【０１１３】
＜Ｃ．効果＞
本実施の形態５に係る電力貯蔵モジュールは、透明板１０を通して、ガス収納袋１の伸張した様子を即座に確認することができる。そのため、点検の際に、モジュールを分解して内部を調べる手間を省いて、ガスを放出した電力貯蔵デバイスの有無を確認できる。確認後、ガス収納袋１の伸張が著しい電力貯蔵デバイス等があれば、何らかの対処をすればよい。
【０１１４】
以上説明したように、透明板１０を容器２３に設けることで、モジュール内の電力貯蔵デバイスの状況を簡単に把握することができ、電力貯蔵デバイスの寿命を予測することもできる。
【０１１５】
なお、モジュールの外部から内部を観察できるように透明部を備えていればよく、透明板１０を別に設けるのではなく、容器２３の一部を透明な材質としてもよい。
【０１１６】
また、本実施の形態５に係る電力貯蔵モジュールでは、電力貯蔵デバイスにガス放出袋１を設けているので、電子回路基板２４上に形成された電子回路をガスに含まれる電解液や電解質で腐食したりショートさせる恐れがない。
【０１１７】
ここで、モジュールの内壁や透明板１０の内壁にガス収納袋１の袋尾部４を接着してもよい。
【０１１８】
透明板１０の内壁にガス収納袋１の袋尾部４を接着した場合には、透明板１０の近傍にガス収納袋１が存在するために、外部からのガス収納袋１の観測が容易になる。
【０１１９】
実施の形態１から３に示したガス収納袋１を電気二重層キャパシタ（定格電圧２．７Ｖ、２ΩＦ、指月電機製）に装着して、７０℃、３．５Ｖの寿命加速を実施し、ガスの発生によるガス収納袋１の伸張と効果を確認した。
【０１２０】
また、２０個の電気二重層キャパシタを収納した電力貯蔵モジュールによる寿命加速試験についても実施した。
【０１２１】
その結果、ガス収納袋１を装着しないものについては、放出されたガスに含まれる電解液や電解質で電子回路が腐食してショートする不具合が生じた。そして、電気二重層キャパシタには外部から水分が侵入して、ガスの発生が加速されて、短時間で性能劣化した。
【０１２２】
これらに対して、本実施の形態１から５に係る発明では、発生したガスは全て、ガス収納袋１に収まっていて、透明板１０からその様子が観測でき、電気二重層キャパシタ６も長時間にわたって安定に動作できた。
【０１２３】
また、円筒型の電気二重層キャパシタに実施の形態１のガス放出弁７のガス収納袋１を装着して寿命加速試験を実施したところ、ガス収納袋１が伸張して、本発明の機能を発揮することを確認した。
【０１２４】
同様に、大型のリチウムイオン電池や大型のコンデンサのガス放出弁７にガス収納袋１を装着して乾燥機に入れ、温度と充電電圧を高めてガスが放出される条件に設定した。そうして、ガス収納袋１が伸張して、本発明の目的としての機能を発揮することを確認した。    
【図面の簡単な説明】
【０１２５】
【図１】実施の形態１に係る電力貯蔵デバイスの正面図である。
【図２】実施の形態１に係る電力貯蔵デバイスの側面図である。
【図３】実施の形態１に係る電力貯蔵デバイスのガス放出弁近傍の上面図である。
【図４】実施の形態１に係る電力貯蔵デバイスのガス放出弁近傍の断面図である。
【図５】実施の形態１に係るガス収納袋の製造工程を示す図である。
【図６】実施の形態１に係る電力貯蔵デバイスの正面図である。
【図７】実施の形態１に係る電力貯蔵デバイスの側面図である。
【図８】実施の形態１に係る電力貯蔵デバイスの正面図である。
【図９】実施の形態１に係る電力貯蔵デバイスの側面図である。
【図１０】実施の形態２に係る電力貯蔵デバイスの側面図である。
【図１１】実施の形態２に係る電力貯蔵デバイスの側面図である。
【図１２】実施の形態３に係る電力貯蔵デバイスの正面図である。
【図１３】実施の形態３に係る電力貯蔵デバイスのガス収納袋近傍の側面図である。
【図１４】実施の形態３に係るガス収納袋の製造工程を示す図である。
【図１５】実施の形態３に係る電力貯蔵デバイスのガス収納袋近傍の側面図である。
【図１６】実施の形態３に係る電力貯蔵デバイスのガス収納袋近傍の側面図である。
【図１７】実施の形態４に係る電力貯蔵デバイスのガス放出弁近傍の上面図である。
【図１８】実施の形態４に係る電力貯蔵デバイスのガス放出弁近傍の断面図である。
【図１９】実施の形態５に係る電力貯蔵モジュールの構成を示す斜視図である。
【符号の説明】
【０１２６】
１，２５，２６  ガス収納袋、４  袋尾部、６  容器、７  ガス放出弁、８  陽極電流端子、９  陰極電流端子、１０  透明板、１１  袋頭部穴、１２  ピンホール、１４  フィルム押さえ、１５  フィルム、１６  シリコンオイル、１７  カバー部、１８  通気口、１９  山折り部、２０  谷折り部、２１  熱融着部、２２，２８  両面テープ、２３  モジュール容器、２４  電子回路基板、２７  袋尾部穴、２９  ポリエチレンフィルム、３０  配線。
【図１】
2007134535.tif 000003
【図２】
2007134535.tif 000004
【図３】
2007134535.tif 000005
【図４】
2007134535.tif 000006
【図５】
2007134535.tif 000007
【図６】
2007134535.tif 000008
【図７】
2007134535.tif 000009
【図８】
2007134535.tif 000010
【図９】
2007134535.tif 000011
【図１０】
2007134535.tif 000012
【図１１】
2007134535.tif 000013
【図１２】
2007134535.tif 000014
【図１３】
2007134535.tif 000015
【図１４】
2007134535.tif 000016
【図１５】
2007134535.tif 000017
【図１６】
2007134535.tif 000018
【図１７】
2007134535.tif 000019
【図１８】
2007134535.tif 000020
【図１９】
2007134535.tif 000021